(57)【要約】    【課題】      曲げストレスに弱い基材の印字用紙４０、あるいはＩＣチップ搭載のＲＦＩＤラベル４２を有するような印字用紙４０もこれを巻き取り可能とし、巻取り可能な基材の種類を大幅に増加することができる印字用紙巻取り装置を提供すること。    【解決手段】  テンションローラー１３の可動領域を四分割して、テンションローラー１３の位置ないし姿勢を逐次把握可能とし、印字用紙４０の巻取り路２１における曲げ角度θ１、θ２、θ３をより鈍角にすることによって曲げストレスを低減可能であることに着目し、テンションローラー１３が位置しているテンション領域が、第１のテンション領域、第２のテンション領域、第３のテンション領域および第４のテンション領域のいずれかであるかを判断する巻取り制御部は、印字用紙４０の巻取りにともなう巻取り路２１の曲げ角度θ１、θ２、θ３をより鈍角に近い方向に巻き取り可能なテンション領域にテンションローラー１３を限定するように駆動部３２を制御することを特徴とする。【選択図】        図８
2006182496.tif 000002
【特許請求の範囲】
【請求項１】
プリンターにより印字済みの帯状の印字用紙を巻き取るための巻取り軸と、
この巻取り軸を回転駆動する駆動部と、
この巻取り軸の上流側においてこの印字用紙に当接し、この印字用紙の巻取りにともなって所定のテンション領域を往復動してこの印字用紙に張力を付与可能なテンションローラーと、を有する印字用紙巻取り装置であって、
前記テンションローラーが前記テンション領域のどの部分に位置しているかを検出可能な第１のセンサーおよび第２のセンサーと、
この第１のセンサーおよび第２のセンサーからの出力信号により、前記テンションローラーが位置している前記テンション領域が、連続して互いに隣接し合う、前記印字用紙の巻取り路の曲げ角度が最小となる第１のテンション領域、第２のテンション領域、第３のテンション領域および前記印字用紙の巻取り路の曲げ角度が最大となる第４のテンション領域のいずれかであるかを判断する巻取り制御部と、
を有し、
前記巻取り制御部は、
前記印字用紙の巻取りにともなう前記巻取り路の前記曲げ角度をより鈍角に近い方向に巻き取り可能な前記テンション領域に前記テンションローラーを限定するように前記駆動部を制御することを特徴とする印字用紙巻取り装置。
【請求項２】
前記巻取り制御部は、
前記テンションローラーが位置する前記テンション領域を前記第４のテンション領域に近い方に制御することを特徴とする請求項１記載の印字用紙巻取り装置。
【請求項３】
前記テンションローラーが位置する前記テンション領域を選択可能なディップスイッチを設け、
前記巻取り制御部は、
このディップスイッチによる設定条件に応じて、前記テンションローラーが位置する前記テンション領域を制御可能とすることを特徴とする請求項１記載の印字用紙巻取り装置。
【請求項４】
前記テンションローラーの上流側に位置して前記印字用紙を前記プリンターから当該印字用紙巻取り装置内に案内導入する第１の固定ガイドローラーと、
前記テンションローラーからの前記印字用紙を前記巻取り軸に案内する第２の固定ガイドローラーと、を設け、
前記プリンター、前記第１の固定ガイドローラーおよび前記テンションローラーにより形成される前記印字用紙の前記巻取り路の前記曲げ角度をより鈍角に近くするようにするとともに、
前記第１の固定ガイドローラー、前記テンションローラーおよび前記第２の固定ガイドローラーにより形成される前記印字用紙の前記巻取り路の前記曲げ角度をより鈍角に近くするように、かつ、
前記テンションローラー、前記第２の固定ガイドローラーおよび前記巻き取り軸により形成される前記印字用紙の前記巻取り路の前記曲げ角度をより鈍角に近くするように、制御することを特徴とする請求項１記載の印字用紙巻取り装置。
【請求項５】
前記印字用紙は、非接触でデータ読取り書込み可能なＩＣチップを搭載したラベルを有することを特徴とする請求項１記載の印字用紙巻取り装置。
【請求項６】
前記テンションローラーを保持するローラーアームと、
このローラーアームを回動可能に支持し、前記テンションローラーを前記巻取り路に交差するように正逆両方向に往復動可能とするローラー回動軸と、
このローラー回動軸のまわりに回動可能とするとともに、前記第１のセンサーおよび前記第２のセンサーにより検出可能な検出凸部および検出凹部を交互に形成したセンサープレートと、
を設けたことを特徴とする請求項１記載の印字用紙巻取り装置。
【請求項７】
前記巻取り制御部は、前記印字用紙に印字するプリンターのプリンター制御部とは独立して当該印字用紙巻取り装置を制御することを特徴とする請求項１記載の印字用紙巻取り装置。
【発明の詳細な説明】
【技術分野】
【０００１】
本発明は印字用紙巻取り装置にかかるもので、とくに印字用紙に印字を行うプリンターとは独立して設けられた印字用紙巻取り装置に関するものである。
【背景技術】
【０００２】
従来の印字用紙巻取り装置としては、プリンターとは別体の外部装置に構成されているとともに、プリンターの用紙排出口の前にこれを載置し、プリンターにより印字発行された連続用紙ないし印字用紙（ラベルを剥離した台紙を含む）をロール状に順次巻き取るものがある。
このような印字用紙巻取り装置は、プリンターにより印字済みの帯状の印字用紙を巻き取るための巻取り軸と、この巻取り軸を回転駆動する駆動部（たとえば駆動モーター）と、この巻取り軸の上流側においてこの印字用紙に当接するテンションローラーと、を有する。
テンションローラーは、印字用紙の印字排出および巻取りにともなって印字用紙に接触しつつ所定のテンション領域を往復動し、印字用紙のたわみを吸収するように印字用紙に張力を付与可能として、巻取り軸への巻取り強さを安定化可能とするものである。
【０００３】
こうした印字用紙巻取り装置において通常は、プリンターから排出された帯状の印字用紙の先端部を巻取り軸に固定し、テンションローラーを印字用紙に接触可能な状態にセットした上で、駆動部を始動し、印字用紙の巻取りを開始する。
しかしながら、印字用紙の巻取りにともなってテンションローラーが所定の往復路を往復動するため、駆動部をオンオフ制御する必要があること、巻取り速度が一定であること、および、印字用紙の巻取り路がジグザグ状となっていること、などから巻取り動作にともなう曲げストレスや曲げ圧あるいは巻取り圧に耐え得る印字用紙の基材が限定されてしまうという問題がある。すなわち、巻取り路が鋭角的に曲がる部位において大きな曲げストレスがかかる結果、印字用紙が切断されたり、あるいは台紙に仮着したラベルが剥離してしまうという問題がある。
さらに印字用紙が、非接触でデータ読取り書込み可能なＩＣチップを搭載したラベル（ＲＦＩＤラベル）を有するような場合には、大きく鋭角的に巻取り路が曲げられると、ＲＦＩＤラベル内部における断線あるいはＩＣチップの破損などが発生するという問題がある。
【０００４】
なお、上述のような印字用紙巻取り装置は、プリンター制御部によりプリンターと一体に制御され、特定のプリンター以外には駆動が事実上不可能であり、任意のプリンターから印字排出される印字用紙を適宜巻き取る機能を有しておらず、プリンターとの組み合わせに融通性がないという問題がある。
【０００５】
【特許文献１】特開２００３−２５２５０１号公報
【発明の開示】
【発明が解決しようとする課題】
【０００６】
本発明は以上のような諸問題にかんがみなされたもので、曲げストレスに弱い基材の印字用紙についてもその巻取りを可能とした印字用紙巻取り装置を提供することを課題とする。
【０００７】
また本発明は、ＩＣチップ搭載のＲＦＩＤラベルを有するような印字用紙についてもこれを巻き取り可能とした印字用紙巻取り装置を提供することを課題とする。
【０００８】
また本発明は、巻取り圧や曲げ圧に対して不利な印字用紙であってもその巻取りを可能とした印字用紙巻取り装置を提供することを課題とする。
【０００９】
また本発明は、巻取り可能な基材の種類を大幅に増加することができる印字用紙巻取り装置を提供することを課題とする。
【００１０】
また本発明は、とくにプリンターなどから独立して配置されていても、独立して制御可能であって、任意のプリンターから印字排出される印字用紙を適宜巻取り可能な印字用紙巻取り装置を提供することを課題とする。
【課題を解決するための手段】
【００１１】
すなわち本発明は、テンションローラーの可動領域を四分割して、テンションローラーの位置ないし姿勢を逐次把握可能とするとともに、印字用紙の巻取り路における曲げ角度をより鈍角にすることによって曲げストレスを低減可能であることに着目したもので、プリンターにより印字済みの帯状の印字用紙を巻き取るための巻取り軸と、この巻取り軸を回転駆動する駆動部と、この巻取り軸の上流側においてこの印字用紙に当接し、この印字用紙の巻取りにともなって所定のテンション領域を往復動してこの印字用紙に張力を付与可能なテンションローラーと、を有する印字用紙巻取り装置であって、上記テンションローラーが上記テンション領域のどの部分に位置しているかを検出可能な第１のセンサーおよび第２のセンサーと、この第１のセンサーおよび第２のセンサーからの出力信号により、上記テンションローラーが位置している上記テンション領域が、連続して互いに隣接し合う、上記印字用紙の巻取り路の曲げ角度が最小となる第１のテンション領域、第２のテンション領域、第３のテンション領域および上記印字用紙の巻取り路の曲げ角度が最大となる第４のテンション領域のいずれかであるかを判断する巻取り制御部と、を有し、上記巻取り制御部は、上記印字用紙の巻取りにともなう上記巻取り路の上記曲げ角度をより鈍角に近い方向に巻き取り可能な上記テンション領域に上記テンションローラーを限定するように上記駆動部を制御することを特徴とする印字用紙巻取り装置である。
【００１２】
上記巻取り制御部は、上記テンションローラーが位置する上記テンション領域を上記第４のテンション領域に近い方に制御することができる。
【００１３】
上記テンションローラーが位置する上記テンション領域を選択可能なディップスイッチを設け、上記巻取り制御部は、このディップスイッチによる設定条件に応じて、上記テンションローラーが位置する上記テンション領域を制御可能とすることができる。
【００１４】
上記テンションローラーの上流側に位置して上記印字用紙を上記プリンターから当該印字用紙巻取り装置内に案内導入する第１の固定ガイドローラーと、上記テンションローラーからの上記印字用紙を上記巻取り軸に案内する第２の固定ガイドローラーと、を設け、上記プリンター、上記第１の固定ガイドローラーおよび上記テンションローラーにより形成される上記印字用紙の上記巻取り路の上記曲げ角度をより鈍角に近くするようにするとともに、上記第１の固定ガイドローラー、上記テンションローラーおよび上記第２の固定ガイドローラーにより形成される上記印字用紙の上記巻取り路の上記曲げ角度をより鈍角に近くするように、かつ、上記テンションローラー、上記第２の固定ガイドローラーおよび上記巻き取り軸により形成される上記印字用紙の上記巻取り路の上記曲げ角度をより鈍角に近くするように、制御することができる。
【００１５】
上記印字用紙は、非接触でデータ読取り書込み可能なＩＣチップを搭載したラベルを有することができる。
【００１６】
上記テンションローラーを保持するローラーアームと、このローラーアームを回動可能に支持し、上記テンションローラーを上記巻取り路に交差するように正逆両方向に往復動可能とするローラー回動軸と、このローラー回動軸のまわりに回動可能とするとともに、上記第１のセンサーおよび上記第２のセンサーにより検出可能な検出凸部および検出凹部を交互に形成したセンサープレートと、を設けることができる。
【００１７】
上記巻取り制御部は、上記印字用紙に印字するプリンターのプリンター制御部とは独立して当該印字用紙巻取り装置を制御することができる。
【００１８】
上記第４のテンション領域に上記テンションローラーが位置するようにして巻取りのための初期セットが行われたのちに、プリンター側からの印字用紙の印字排出にともなって上記テンションローラーが第１のテンション領域方向に移動して巻取り路が最大長側に延びてきた時点（換言すれば、巻取り路の曲げ角度が最小になった時点）で、巻取り動作を再開するとともに、上記テンションローラーが第４のテンション領域に到達して巻取り路が最小長さ側になった時点（換言すれば、巻取り路の曲げ角度が最大になった時点）で巻取り動作を停止し、プリンター側からの印字用紙の印字排出を待つもので、以後こうした動作を繰り返す。
なお、通常の曲げ強さを有する印字用紙の場合には、テンションローラーの往復動に余裕を持たせるために、第１および第４のテンション領域以外の、すなわち、その中間部の第２のテンション領域および第３のテンション領域においてテンションローラーを往復動させるように制御することが望ましい。
ただし、曲げ強さが小さな印字用紙、あるいはＲＦＩＤラベルなどを搭載した印字用紙の場合には、第４のテンション領域に近いほうでテンションローラーを往復動させるように制御することが望ましい。
【発明の効果】
【００１９】
本発明による印字用紙巻取り装置においては、テンションローラーの可動領域を四分割して、テンションローラーの位置が、第１のテンション領域、第２のテンション領域、第３のテンション領域および第４のテンション領域のいずれかであるかを判断可能とし、曲げストレスに弱い印字用紙を巻き取る場合には、テンションローラーを通過するその巻取り路の曲げ角度をより鈍角にするように駆動部の制御を行うこととしたので、印字用紙の曲げ角度がより鋭角になることを回避し、その曲げストレスを軽減することができ、巻取り可能な印字用紙の種類を増加させることができるとともに、ＲＦＩＤラベルを仮着した印字用紙などもＲＦＩＤラベルの破損を回避しつつ適正に巻き取ることができる。
【発明を実施するための最良の形態】
【００２０】
本発明は、印字用紙の巻取りにともなう巻取り路の曲げ角度をより鈍角に近い方向に巻き取り可能なテンション領域にテンションローラーを限定するように駆動部を制御するので、曲げストレスに弱い印字用紙であっても巻取りが可能となる印字用紙巻取り装置を実現した。
【実施例】
【００２１】
つぎに本発明の実施例による印字用紙巻取り装置２を図１ないし図８にもとづき説明する。
図１は、プリンター１およびこのプリンター１に接続した印字用紙巻取り装置２の概略側面図であって、プリンター１は、ラベルあるいはタグなど印字用紙３の供給部４と、印字用紙３の位置を検出する検出部５と、印字用紙３に印字を行う印字部６と、印字された印字用紙３を印字用紙巻取り装置２に巻き取ったのちその終端部を切断する切断部７と、これら各部を制御するプリンター制御部８と、を有する。
【００２２】
印字部６は、サーマルヘッド９とプラテンローラー１０とを有し、サーマルヘッド９およびプラテンローラー１０の間に印字用紙３を挟持してプラテンローラー１０の回転により印字用紙３を印字用紙巻取り装置２方向に排出移送するとともに印字用紙３に所定情報を印字する。
切断部７は、プリンター制御部８によりこれを駆動して印字用紙３を機械的に切断するようにしてもよいが、手動により印字用紙３の終端部を切断する部材を設けることもできる。
【００２３】
図２は、印字用紙巻取り装置２の斜視図であって、印字用紙巻取り装置２は、装置本体１１と、印字済みの印字用紙３を印字用紙巻取り装置２内に案内導入する第１の固定ガイドローラー１２と、テンションローラー１３と、テンションローラー１３からの印字用紙３を案内する第２の固定ガイドローラー１４と、印字用紙３をロール状に巻き取る巻取り部１５と、操作部１６と、電源スイッチ１７と、巻取り制御部１８と、を有する。
【００２４】
装置本体１１における鉛直壁面部１１Ａにローラー回動軸１９を設け、このローラー回動軸１９に正逆両方向に回動可能にローラーアーム２０を取り付け、その先端部にテンションローラー１３を回転可能に取り付け、印字用紙３の巻取り路２１（たとえば図１では、ジグザグ状に現れる）に垂直に交差するようにテンションローラー１３を位置させている。
テンションローラー１３は、鉛直壁面部１１Ａに形成した円弧状ガイド溝２２に沿って印字用紙３の巻取り状態に応じて図１の矢印のように円弧状に上下往復動可能で、巻取り路２１の長さを最小から最大に変化させ、この変化にともなって巻取り路２１の曲げ角度を最大から最小に変化させる。
【００２５】
図３は、鉛直壁面部１１Ａのテンションローラー１３が位置する面とは反対側の面から見た側面図であって、テンションローラー１３の位置をセンサープレート２３、第１のセンサー２４および第２のセンサー２５により検出可能とする。
センサープレート２３は、ローラー回動軸１９にこれを取り付けてテンションローラー１３とともにローラー回動軸１９のまわりに回動可能とするとともに、その円周部分に第１のセンサー２４および第２のセンサー２５により検出可能な二ヶ所の検出凸部（第１の検出凸部２６、第２の検出凸部２７）および三ヶ所の検出凹部（第１の検出凹部２８、第２の検出凹部２９、第３の検出凹部３０）を交互に形成してある。
【００２６】
第１のセンサー２４および第２のセンサー２５は、透過型あるいは反射型いずれの検出器も採用可能であり、第１の検出凸部２６、第２の検出凸部２７、第１の検出凹部２８、第２の検出凹部２９および第３の検出凹部３０を検出可能な位置の円周上にこれを配置してある。
図３に実線で示すテンションローラー１３の最下部位置（下死点、第１のテンション領域）において、第１のセンサー２４は第２の検出凹部２９に臨み、第２のセンサー２５は第３の検出凹部３０に臨んでいる。
【００２７】
ローラー回動軸１９は、テンションローラー１３より鉛直方向上方側にこれを配置することが望ましく、この相対的な配置構成によってテンションローラー１３はその自重により円弧状ガイド溝２２内において鉛直方向下方に位置する姿勢を自然姿勢とし、テンションローラー１３が図１および図２中上方から当接する印字用紙３に所定の張力を常時付与することができる。
また、必要であれば、引っ張りバネ３１（図１）をローラーアーム２０に取り付けることにより、テンションローラー１３を円弧状ガイド溝２２内において最下部（下死点）方向に常時付勢することもできる。
【００２８】
図４は、第１のセンサー２４および第２のセンサー２５からの検出信号によって判別するテンションローラー１３が位置するテンション領域を示す図表、図５は、各テンション領域の概略を示す説明図である。
図３に実線で示す状態は、テンションローラー１３の下死点（第１のテンション領域Ｒ１における最下点）を示し、第１のセンサー２４が第２の検出凹部２９の位置を検出し、第２のセンサー２５が第３の検出凹部３０の位置を検出している状態である。
テンションローラー１３が円弧状ガイド溝２２内を上昇するにともなって、第１のセンサー２４および第２のセンサー２５が第１の検出凸部２６、第２の検出凸部２７、第１の検出凹部２８、第２の検出凹部２９および第３の検出凹部３０をそれぞれ検出し、これらの検出信号より、巻取り制御部１８が、テンションローラー１３がテンション領域（連続して互いに隣接し合う第１のテンション領域Ｒ１、第２のテンション領域Ｒ２、第３のテンション領域Ｒ３および第４のテンション領域Ｒ４）のいずれかに位置しているかを判断する。
センサープレート２３のローラー回動軸１９を中心とする第１の検出凸部２６、第２の検出凸部２７、第１の検出凹部２８、第２の検出凹部２９および第３の検出凹部３０のそれぞれの円周角、ならびに第１のセンサー２４および第２のセンサー２５の相対的な位置を適宜設計することにより、テンションローラー１３のテンション領域（第１のテンション領域Ｒ１、第２のテンション領域Ｒ２、第３のテンション領域Ｒ３および第４のテンション領域Ｒ４の境界部）の検出タイミングを調整可能とすることができる。
【００２９】
図１および図２に戻って、巻取り部１５は、駆動モーター３２（駆動部）と、駆動モーター３２により回転駆動する巻取り軸３３と、巻取り軸３３に着脱可能にはめ込んで巻取り軸３３と一体回転して印字用紙３をここにロール状に巻き取るためのリワインドコア３４と、リワインドコア３４の両端部に設けて印字用紙３を案内する一対のプレート状の用紙ガイド３５と、を有する。
【００３０】
操作部１６は、巻取り部１５の近傍の装置本体１１の部分にこれを設けてあり、巻取り軸３３の回転駆動を開始および停止させるスタートストップボタン３６と、スタートストップボタン３６の動作状態を示すＬＥＤなどによるステータス表示部３７と、印字用紙３の巻き方向を矢印で示す巻き方向表示部３８と、を有する。
スタートストップボタン３６を押して印字用紙３の巻取り動作を行っているときにはステータス表示部３７が点灯し、巻き取りを停止しているときにはステータス表示部３７は点滅する。
巻き方向表示部３８は、印字用紙３の裏巻きあるいは表巻きの区別を表示する。なお、印字用紙３は糊面を有していない連続した下げ札その他のタグ用紙の場合もあるが、図２に例示するように、帯状の台紙３Ａ上に複数のラベル片３Ｂを仮着したラベル連続体の場合もあり、このラベル連続体の場合には、ラベル片３Ｂが巻取り軸３３（リワインドコア３４）にロールとして内方側（裏側）に巻かれる場合を裏巻き、外方側（表側）に巻かれる場合を表巻きと称している。
【００３１】
電源スイッチ１７は、印字用紙巻取り装置２の電源をオンオフするものである。ただし、この電源スイッチ１７がオンとされても、駆動モーター３２（駆動部）は始動せず、印字用紙３の巻取り動作は開始されない。
【００３２】
巻取り制御部１８は、第１のセンサー２４および第２のセンサー２５からの検出信号にもとづき、すなわち、テンションローラー１３がどのテンション領域Ｒ１、Ｒ２、Ｒ３、Ｒ４に位置しているかにもとづき、巻取り部１５および操作部１６を駆動制御するものであるが、プリンター１におけるプリンター制御部８（図１）からの制御信号によらず、すなわち、プリンター制御部８からは独立して当該印字用紙巻取り装置２を制御する。
【００３３】
こうした構成の印字用紙巻取り装置２およびプリンター１において、印字用紙巻取り装置２をプリンター１に姿勢を合わせて載置し、プリンター１側から排出されて延びる印字用紙３を図１あるいは図２に示す状態に印字用紙巻取り装置２の第１の固定ガイドローラー１２、テンションローラー１３および第２の固定ガイドローラー１４に巻き掛け、印字用紙３の先端部を巻取り軸３３のリワインドコア３４に取り付けて固定するとともに、電源スイッチ１７をオンとする。
【００３４】
この印字用紙３を巻取り路２１にセットするとき、印字用紙３全体がたるんだ状態で、テンションローラー１３がその最下点（下死点、第１のテンション領域Ｒ１）にある場合には、巻取り制御部１８は、印字用紙３を巻取り軸３３（リワインドコア３４）に巻き掛ける始動時に、テンションローラー１３が第１のテンション領域Ｒ１にあることを確認する。この状態で、操作者は、スタートストップボタン３６を押し続け、その信号が出力されている間だけ、駆動部（駆動モーター３２）により巻取り軸３３を通常の巻取り速度より低速度で回転駆動し、テンションローラー１３が第４のテンション領域Ｒ４に到達した時点で（より正確には、第３のテンション領域Ｒ３と第４のテンション領域Ｒ４との境界部に至った時点で）、巻取り軸３３による印字用紙３の巻取りを一時的に停止して、初期セット状態とする。
なお、印字用紙巻取り装置２における通常の巻取り速度は、プリンター１による印字用紙３の印字排出にともなう移送速度より速いものとする。
さらに、第１のテンション領域Ｒ１から第２のテンション領域Ｒ２および第３のテンション領域Ｒ３に移行した時点で、巻取り速度を上昇させ、始動時動作および巻取り動作を迅速に実行可能とすることができる。
【００３５】
もちろん、操作者の初期セット操作によっては、テンションローラー１３が第１のテンション領域Ｒ１以外のテンション領域にあり得るわけであるが、このときにも上述と同様に、巻取り制御部１８は、テンションローラー１３がどのテンション領域にあるかを判断するとともに、スタートストップボタン３６からの信号が出力されている間だけ、巻取り軸３３を通常の巻取り速度より低速度で回転駆動し、テンションローラー１３が第４のテンション領域Ｒ４に到達した時点で、巻取り軸３３による印字用紙３の巻取りを一時的に停止して、初期セット状態とする。
【００３６】
こうした初期セット状態が完了した時点では、テンションローラー１３が第４のテンション領域Ｒ４にセットされた状態にあり、この状態でプリンター１を始動し、印字用紙３が印字排出されてくると、巻取り路２１においてテンションローラー１３が印字用紙３に所定の張力で接触したまま、第４のテンション領域Ｒ４から第３のテンション領域Ｒ３を経て、第２のテンション領域Ｒ２および第１のテンション領域Ｒ１の方向に円弧状ガイド溝２２に沿って下降してくる。
このテンションローラー１３が下降して第１のテンション領域Ｒ１に到達した時点で（より正確には、第２のテンション領域Ｒ２と第１のテンション領域Ｒ１との境界部に至った時点で）、巻取り軸３３による印字用紙３の巻取りを再開し、この巻取り動作にともなってテンションローラー１３は円弧状ガイド溝２２に沿って上昇し、第２のテンション領域Ｒ２、第３のテンション領域Ｒ３に移行し、再度第４のテンション領域Ｒ４に至って巻き取りを停止する。この停止状態で、プリンター１によるさらなる印字用紙３の印字排出を待ち、印字用紙３が排出してくるにともなって、上述のように、テンションローラー１３が第１のテンション領域Ｒ１に至った時点で巻き取りを再開する。
操作部１６におけるスタートストップボタン３６を押すことにより、巻取り動作を終了することができる。
【００３７】
なお、通常の巻取り動作においては、第２のテンション領域Ｒ２および第３のテンション領域Ｒ３の間をテンションローラー１３が往復動するように制御することにより、第１のテンション領域Ｒ１および第４のテンション領域Ｒ４を余裕領域として確保しておくことができる。
【００３８】
かくして、操作者は、操作部１６におけるスタートストップボタン３６を押し続けることによってのみ印字用紙３の初期セットの巻取り動作を通常の巻取り速度より低速で行うことができるので、印字用紙３の初期セット操作時に、自分の意思によってのみ印字用紙３の回転を開始させることが可能となり、巻取り操作を安全かつ確実に行うことができる。
【００３９】
本発明は、とくに曲げストレスに弱い印字用紙３を巻き取る場合に好適であって、上述のような通常の巻取り動作とは別に、テンションローラー１３のテンション領域を所定の範囲に限定するように巻取り部１５ないしその駆動モーター３２を制御可能とする。
曲げストレスに弱い印字用紙として、ＲＦＩＤラベル連続体を例にとって以下説明する。
図６は、ＲＦＩＤラベル連続体４０（印字用紙）を示す平面図であって、ＲＦＩＤラベル連続体４０は、帯状の台紙４１と、この台紙４１に仮着した複数枚のＲＦＩＤラベル４２と、を有する。
ＲＦＩＤラベル４２（Ｒａｄｉｏ  Ｆｒｅｑｕｅｎｃｙ  Ｉｄｅｎｔｉｆｉｃａｔｉｏｎラベル）は、ラベル本体４３と、このラベル本体４３に組み込んだＩＣチップ４４と、アンテナ４５と、を有する。
ＩＣチップ４４は、アンテナ４５を介して外部のデータ読取り書込み装置（図示せず）との間で、非接触でデータ読取り書込み可能であり、このＩＣチップ４４内に電子的にデータを書き込み、および読み取ることができる。
このＲＦＩＤラベル連続体４０は、とくにそのＲＦＩＤラベル４２の部分が曲げストレスに弱い。
【００４０】
図７は、テンションローラー１３および巻取り部１５部分の要部拡大側面図であって、とくにテンションローラー１３が第１のテンション領域Ｒ１に位置している状態を示している。
図７に示すように、テンションローラー１３が第１のテンション領域Ｒ１に位置しているときに、ＲＦＩＤラベル連続体４０の巻取り路２１の曲げ角度が最小となる。具体的には、第１の曲げ角度θ１、第２の曲げ角度θ２および第３の曲げ角度θ３が最小となり、この第１のテンション領域Ｒ１に位置している状態において曲げストレスが最大となる。
第１の曲げ角度θ１は、プリンター１、第１の固定ガイドローラー１２およびテンションローラー１３により形成されるＲＦＩＤラベル連続体４０の巻取り路２１の曲げ角度である。
第２の曲げ角度θ２は、第１の固定ガイドローラー１２、テンションローラ１３ーおよび第２の固定ガイドローラー１４により形成されるＲＦＩＤラベル連続体４０の巻取り路２１の曲げ角度である。
第３の曲げ角度θ３は、テンションローラー１３、第２の固定ガイドローラー１４および巻き取り軸３３により形成されるＲＦＩＤラベル連続体４０の巻取り路２１の曲げ角度である。
とくに、テンションローラー１３の部位において印字用紙４０がなす第２の曲げ角度θ２がより鋭角的になり、曲げストレスによるＲＦＩＤラベル連続体４０への影響が最も大きくなる。
【００４１】
図８は、図７と同様の、テンションローラー１３および巻取り部１５部分の要部拡大側面図であって、とくにテンションローラー１３が第４のテンション領域Ｒ４に位置している状態を示している。
図８に示す状態では、上記第１の曲げ角度θ１、第２の曲げ角度θ２および第３の曲げ角度θ３が最大となり、この第４のテンション領域Ｒ４に位置している状態において曲げストレスが最小となる。
【００４２】
本発明においては、第１の曲げ角度θ１、第２の曲げ角度θ２および第３の曲げ角度θ３をより鈍角に近くするように、あるいはテンションローラー１３が位置するテンション領域を第４のテンション領域Ｒ４に近い方に制御する。
具体的には、装置本体１１にディップスイッチ４６（図１、図２）を設け、テンションローラー１３が位置するテンション領域をこのディップスイッチ４６により選択可能とする。
通常の印字用紙３などを巻き取る場合には、テンションローラー１３が第２のテンション領域Ｒ２および第３のテンション領域Ｒ３の間（より正確には、第１のテンション領域Ｒ１と第２のテンション領域Ｒ２との間の境界部、および第３のテンション領域Ｒ３と第４のテンション領域Ｒ４との間の境界部の間）を往復動するように巻取り制御部１８が駆動モーター３２を制御するが、ＲＦＩＤラベル連続体４０の場合には、テンションローラー１３が第２のテンション領域Ｒ２から第４のテンション領域Ｒ４（より正確には、第４のテンション領域Ｒ４の最上部ないし上死点）あるいは第３のテンション領域Ｒ３から第４のテンション領域Ｒ４（より正確には、第４のテンション領域Ｒ４の最上部ないし上死点）の間を往復動するように駆動モーター３２をオンオフ制御する。
【００４３】
たとえば、テンションローラー１３を第３のテンション領域Ｒ３と第４のテンション領域Ｒ４との間を往復動させる場合には、巻取り制御部１８は、テンションローラー１３が第３のテンション領域Ｒ３（より正確には第２のテンション領域Ｒ２と第３のテンション領域Ｒ３との境界部）に至ったときに駆動モーター３２をオンとしてＲＦＩＤラベル連続体４０の巻取り動作を開始し、第４のテンション領域Ｒ４の上死点に至ったときに駆動モーター３２をオフとしてプリンター１側からのＲＦＩＤラベル連続体４０の供給を待つ態勢とする。
かくして、ＲＦＩＤラベル連続体４０の巻取りにともなう巻取り路２１の曲げ角度をより鈍角に近い方向に巻き取り可能なテンション領域にテンションローラー１３を限定するように駆動モーター３２を制御し、ＲＦＩＤラベル連続体４０が、第１の固定ガイドローラー１２、テンションローラー１３および第２の固定ガイドローラー１４の部分における曲げ作用でそのＲＦＩＤラベル４２などが破損したり、不用意に切断したりすることを防止することができる。
【００４４】
さらに、図７に示すような小さな曲げ角度においては、とくに第１の固定ガイドローラー１２あるいは第２の固定ガイドローラー１４の部分において、ＲＦＩＤラベル４２が台紙４１の転向に追随せずに台紙４１から剥離してしまう可能性があるが（図中、仮想線参照）、図８に示すように鈍角に近くなるように曲げ角度を大きくすることにより、このようなＲＦＩＤラベル４２の剥離現象も回避することができる。
【図面の簡単な説明】
【００４５】
【図１】本発明の実施例による印字用紙巻取り装置２およびこの印字用紙巻取り装置２に接続したプリンター１の概略側面図である。
【図２】同、印字用紙巻取り装置２の斜視図である。
【図３】同、鉛直壁面部１１Ａのテンションローラー１３が位置する面とは反対側の面から見た側面図である。
【図４】同、第１のセンサー２４および第２のセンサー２５からの検出信号によって判別するテンションローラー１３が位置するテンション領域を示す図表である。
【図５】同、各テンション領域の概略を示す説明図である。
【図６】同、ＲＦＩＤラベル連続体４０（印字用紙）を示す平面図である。
【図７】同、とくにテンションローラー１３が第１のテンション領域Ｒ１に位置している状態を示しているテンションローラー１３および巻取り部１５部分の要部拡大側面図である。
【図８】同、とくにテンションローラー１３が第４のテンション領域Ｒ４に位置している状態を示しているテンションローラー１３および巻取り部１５部分の要部拡大側面図である。
【符号の説明】
【００４６】
１  プリンター（図１）
２  印字用紙巻取り装置（実施例、図１、図２）
３  印字用紙
３Ａ  印字用紙３の台紙
３Ｂ  印字用紙３のラベル片
４  印字用紙３の供給部
５  検出部
６  印字部
７  切断部
８  プリンター制御部
９  サーマルヘッド
１０  プラテンローラー
１１  印字用紙巻取り装置２の装置本体（図２）
１１Ａ  装置本体１１の鉛直壁面部
１２  第１の固定ガイドローラー
１３  テンションローラー
１４  第２の固定ガイドローラー
１５  巻取り部
１６  操作部
１７  電源スイッチ
１８  巻取り制御部
１９  ローラー回動軸
２０  ローラーアーム
２１  印字用紙３、４０の巻取り路
２２  円弧状ガイド溝
２３  センサープレート（図３）
２４  第１のセンサー
２５  第２のセンサー
２６  第１の検出凸部
２７  第２の検出凸部
２８  第１の検出凹部
２９  第２の検出凹部
３０  第３の検出凹部
３１  引っ張りバネ（図１）
３２  駆動モーター（駆動部）
３３  巻取り軸
３４  リワインドコア
３５  用紙ガイド
３６  スタートストップボタン（図２）
３７  ステータス表示部
３８  巻き方向表示部
４０  ＲＦＩＤラベル連続体（印字用紙、図６）
４１  ＲＦＩＤラベル連続体４０の台紙
４２  ＲＦＩＤラベル
４３  ラベル本体
４４  ＩＣチップ
４５  アンテナ
４６  ディップスイッチ（図１、図２）
Ｒ１  第１のテンション領域（図３、図５）
Ｒ２  第２のテンション領域（図３、図５）
Ｒ３  第３のテンション領域（図３、図５）
Ｒ４  第４のテンション領域（図３、図５）
θ１  第１の曲げ角度（曲げ角度、図７、図８）
θ２  第２の曲げ角度（曲げ角度、図７、図８）
θ３  第３の曲げ角度（曲げ角度、図７、図８）
【図１】
2006182496.tif 000003
【図２】
2006182496.tif 000004
【図３】
2006182496.tif 000005
【図４】
2006182496.tif 000006
【図５】
2006182496.tif 000007
【図６】
2006182496.tif 000008
【図７】
2006182496.tif 000009
【図８】
2006182496.tif 000010